(57)【要約】【課題】リング状のシールの挿入を容易に行えるようにしたシール挿入治具を提供する。【解決手段】弁軸８が通される貫通孔１０ａの一端からその内部のシール取付溝１０ｅにキャップシール１４を挿入するためのシール挿入治具２０において、貫通孔１０ａに他端側から同軸的に挿入されるようにして蓋部材１０に組み付け可能であり、シール１４の内周に嵌め合わせ可能な外径を有するガイド軸２１ａが蓋部材１０への組み付け状態で貫通孔１０ａの他端側からシール取付溝１０ｅを越えて一端側に延びるように設けられたガイド部材２１と、ガイド部材２１のガイド軸２１ａの外周に嵌合可能なガイド孔２２ａを有し、貫通孔１０ａに一端側から挿入されてガイド軸２１ａ上を移動することにより、シール１４をシール取付溝１０ｅ内に押し込み可能なシール押え２２とを備えるようにした。【選択図】図２
2009162259.tif 000002
【特許請求の範囲】
【請求項１】
軸部材を通すための貫通孔の内部に、前記貫通孔の一端側よりも内径が小さいシール取付溝が設けられた対象部品と組み合わせて使用され、前記貫通孔の前記一端から前記シール取付溝に、前記軸部材の外周と接触すべきリング状のシールを挿入するためのシール挿入治具であって、
前記貫通孔に他端側から同軸的に挿入されるようにして前記対象部品に組み付け可能であり、前記シールの内周に嵌め合わせ可能な外径を有するガイド軸が前記対象部品への組み付け状態で前記貫通孔の他端側から前記シール取付溝を越えて前記一端側に延びるように設けられたガイド部材と、
前記ガイド部材の前記ガイド軸の外周に嵌合可能なガイド孔を有し、前記貫通孔に前記一端側から挿入されて前記ガイド軸上を移動することにより、前記シールを前記シール取付溝内に押し込み可能なシール押えと、
を備えていることを特徴とするシール挿入治具。
【請求項２】
前記シール押えを前記貫通孔の前記一端側から他端側に向かって押し込む押し込み手段をさらに備えていることを特徴とする請求項１に記載のシール挿入治具。
【請求項３】
前記押し込み手段は、前記ガイド部材の前記ガイド軸の先端側に同軸的に設けられたねじ軸と、前記ねじ軸にねじ込まれることにより前記シール押えを前記ガイド軸に沿って押し込み可能なキャップとを備えていることを特徴とする請求項２に記載のシール挿入治具。
【請求項４】
前記ガイド部材には、前記貫通孔の前記他端側の周囲にて前記対象部品に突き当て可能なフランジが設けられていることを特徴とする請求項１〜３のいずれか一項に記載のシール挿入治具。
【請求項５】
前記シール押えの前記シールと接する側の端部には、前記ガイド孔の周囲に沿って環状に突出して前記シール取付溝内に挿入可能なシール押え部が設けられていることを特徴とする請求項１〜４のいずれか一項に記載のシール挿入治具。
【発明の詳細な説明】
【技術分野】
【０００１】
本発明は、サニタリ弁のキャップシールといったリング状のシールをシール取付溝に挿入するための治具に関する。
【背景技術】
【０００２】
リング状のシールを、取付対象の内周面のシール溝等に挿入する作業は、軸の外周のシール溝にシールを嵌め込む作業と比較して作業に手間取ることが少なくない。このため、従来より、様々な構成のシール挿入治具が提案されている（例えば特許文献１及び２参照）。
【０００３】
【特許文献１】特開平８−１８７６７７号公報
【特許文献２】特開２０００−１２８２８９号公報
【発明の開示】
【発明が解決しようとする課題】
【０００４】
ところで、飲料の充填ラインに使用されるサニタリ弁等の制御弁は、一般にバルボディ内の流路を開閉するための弁体とバルブボディ外のアクチュエータとを弁軸で連結して弁体を操作するように構成されている。弁軸がバルブボディを貫く部分には、バルブボディからの液漏れを防止するためにリング状のシールが設けられるが、そのシールの取付箇所がバルブボディに設けられた弁軸挿入用の貫通孔の奥深くに設定されていることがある。この場合、シールの挿入時に、シールの変形や破損が生じ易い。
【０００５】
そこで、本発明は、リング状のシールの挿入を容易に行えるようにしたシール挿入治具を提供することを目的とする。
【課題を解決するための手段】
【０００６】
本発明は、軸部材（８）を通すための貫通孔（１０ａ）の内部に、前記貫通孔の一端側よりも内径が小さいシール取付溝（１０ｅ）が設けられた対象部品（１０）と組み合わせて使用され、前記貫通孔の前記一端から前記シール取付溝に、前記軸部材の外周と接触すべきリング状のシール（１４）を挿入するためのシール挿入治具（２０）であって、前記貫通孔に他端側から同軸的に挿入されるようにして前記対象部品に組み付け可能であり、前記シールの内周に嵌め合わせ可能な外径を有するガイド軸（２１ａ）が前記対象部品への組み付け状態で前記貫通孔の他端側から前記シール取付溝を越えて前記一端側に延びるように設けられたガイド部材（２１）と、前記ガイド部材の前記ガイド軸の外周に嵌合可能なガイド孔（２２ａ）を有し、前記貫通孔に前記一端側から挿入されて前記ガイド軸上を移動することにより、前記シールを前記シール取付溝内に押し込み可能なシール押え（２２）と、を備えることにより、上述した課題を解決する。
【０００７】
本発明のシール挿入治具においては、ガイド部材を対象部品の貫通孔にその他端側から挿入し、貫通孔の一端側からガイド軸にシール及びシール押えを順次嵌め合わせ、さらにシール押えをガイド軸に沿ってシール取付溝側に押し込むことにより、シールをシール取付溝内に挿入することができる。シールはガイド軸によって内周側から支持され、かつ、シール押えによって均等に押し込まれる。従って、シールの挿入過程におけるシールの変形、あるいは破損が防止され、貫通孔内のシール取付溝に対してシールを容易かつ確実に挿入することができる。
【０００８】
本発明のシール挿入治具においては、前記シール押えを前記貫通孔の前記一端側から他端側に向かって押し込む押し込み手段（２１ｃ、２３）をさらに備えてもよい。これによれば、シール押えをガイド軸に沿って円滑に押し込むことができ、シールの挿入作業がさらに容易に行える。
【０００９】
前記押し込み手段は、前記ガイド部材の前記ガイド軸の先端側に同軸的に設けられたねじ軸（２１ｃ）と、前記ねじ軸にねじ込まれることにより前記シール押えを前記ガイド軸に沿って押し込み可能なキャップ（２３）とを備えていてもよい。これによれば、キャップをねじ軸にねじ込むことにより、シール押えをガイド軸に沿って移動させてシールをシール取付溝内まで均等に押し込むことができる。
【００１０】
前記ガイド部材には、前記貫通孔の前記他端側の周囲にて前記対象部品に突き当て可能なフランジ（２１ｂ）が設けられてもよい。これによれば、フランジを対象部品に突き当てることにより、ガイド部材を貫通孔の軸線方向に位置決めすることが可能となり、シールの挿入作業をさらに容易に行える。
【００１１】
前記シール押えの前記シールと接する側の端部には、前記ガイド孔の周囲に沿って環状に突出して前記シール取付溝内に挿入可能なシール押え部（２２ｂ）が設けられてもよい。これによれば、シール取付溝がシールよりも軸線方向に深く形成されている場合でも、シール取付溝内の所定の位置までシール押えでシールを押し込むことができる。
【００１２】
なお、以上の説明では本発明の理解を容易にするために添付図面の参照符号を括弧書きにて付記したが、それにより本発明が図示の形態に限定されるものではない。
【発明の効果】
【００１３】
以上に説明したように、本発明のシール挿入治具においては、対象部品の貫通孔内に同軸に配置されたガイド部材のガイド軸にシールを嵌め合わせ、そのガイド軸に沿ってシール押えを押し込むことにより、シールをその内周側からガイド軸によって支持しつつシール取付溝まで均等に押し込むことができる。従って、シールの挿入過程におけるシールの変形、あるいは破損が防止され、貫通孔内のシール取付溝に対してシールを容易かつ確実に挿入することができる。
【発明を実施するための最良の形態】
【００１４】
図１は本発明の一形態に係るシール挿入治具が利用されるサニタリ弁の断面図である。サニタリ弁１は、ビール等の飲料の充填ラインに使用されるものであって、バルブボディ２内の第１流路３と第２流路４との間に配置された弁体５と、バルブボディ２外に設けられたアクチュエータ６の駆動軸７とを軸部材としての弁軸８にて連結した構成を有している。図１は、流路３、４を結ぶ接続路９を弁体５にて閉め切った状態を示している。図１の状態からアクチュエータ６にて弁体５を弁軸８の軸線方向上方に駆動することにより、接続路９が開いて第１流路３から第２流路４へと流体（飲料）が流入する。バルブボディ２とアクチュエータ６との間には、ボンネットと呼ばれる概略円盤状の蓋部材１０が取り付けられており、弁軸８はその蓋部材１０の貫通孔１０ａを貫いてアクチュエータ６の駆動軸７と連結されている。蓋部材１０の外周はＯリング１１にてシールされている。
【００１５】
蓋部材１０の上面にはアクチュエータ６のケース１２が突き合わされており、それらの蓋部材１０とケース１２との間には弁軸８を案内するための軸ガイド１３が設けられている。その軸ガイド１３の両端には、リング状のキャップシール１４、１５が取り付けられている。それらのキャップシール１４、１５により、バルブボディ２の内部とケース１２との間がシールされている。
【００１６】
図２は蓋部材１０に本形態のシール挿入治具２０を利用してキャップシール１４を挿入した状態を示している。蓋部材１０の貫通孔１０ａは、蓋部材１０の上面１０ｂに開口する一端側から下面１０ｃに開口する他端側に向かって、軸ガイド１３が嵌め合わされる大径部１０ｄと、その大径部１０ｄの内径が小さいシール取付溝１０ｅと、そのシール取付溝１０ｅよりもさらに内径が小さい小径部１０ｆとが同軸的に形成された構成を有している。大径部１０ｄには上述した軸ガイド１３が嵌め合わされ、シール取付溝１０ｅにはキャップシール１４が装着され、小径部１０ｆには弁軸８が挿通される。シール取付溝１０ｅの軸線方向の深さはキャップシール１４の直径よりも大きく、その上端部には軸ガイド１３が挿入される。小径部１０ｆの内径は弁軸８の外径よりも僅かに大きい程度であり、キャップシール１４は大径部１０ｄからシール取付溝１０ｅへと挿入される。しかし、キャップシール１４は直径が比較的小さく、かつ、シール取付溝１０ｅは上面１０ｂから深い位置にあるため、治具なしでキャップシール１４をシール取付溝１０ｅに正しく装着する作業がやりづらく、シール１４が挿入途中で変形し、あるいは破損して取付不良となることが少なくない。本形態のシール挿入治具２０は、このような不都合を解消するために、蓋部材１０を対象部品として、これと組み合わせて使用される。
【００１７】
シール挿入治具２０は、貫通孔１０ａに挿入されるガイド部材２１と、そのガイド部材２１に嵌め合わされるシール押え２２と、そのシール押え２２を操作するためのキャップ２３とを備えている。ガイド部材２１は、蓋部材１０の貫通孔１０ａに、小径部１０ｆ側（他端側）から挿入されるガイド軸２１ａと、ガイド軸２１ａの後端に設けられるフランジ２１ｂと、ガイド軸２１ａの先端に同軸的に形成されるねじ軸２１ｃとを有している。蓋部材１０の貫通孔１０ａとガイド部材２１とを同軸に保持することができるように、ガイド軸２１ａの外径は、蓋部材１０の小径部１０ｆに対してほぼ遊びなしで嵌合できる範囲に設定されている。ガイド軸２１ａは、フランジ２１ｂを蓋部材１０の下面１０ｃに突き当ててガイド部材２１と蓋部材１０とを組み合わせたときに、蓋部材１０のシール取付溝１０ｅを越えて延び、その上端が上面１０ｂ付近に達する程度に設定されている。
【００１８】
シール押え２２は、ガイド部材２１のガイド軸２１ａの外周に嵌合するガイド孔２２ａを備えた筒状部材として形成されている。シール押え２２の軸線方向一端には、シール取付溝１０ｅに挿入可能なシール押え部２２ｂが、他端にはキャップ２３と嵌合するキャップ嵌合部２２ｃがそれぞれ形成されている。シール押え部２２ｂ、及びキャップ嵌合部２２ｃはいずれもガイド孔２２ａの周囲に沿って環状に突出するように設けられている。シール押え２２の外径は、貫通孔１０ａの大径部１０ｄの内径よりも幾らか小さく設定されている。シール押え２２は、キャップシール１４を傷付けることがないように、樹脂素材にて形成されている。シール押え２２の軸線方向の全長は、蓋部材１０の貫通孔１０ａの大径部１０ｄとシール取付溝１０ｅとの間の段差面１０ｇにシール押え２２を突き当てたときに、その上端がガイド部材２１のガイド軸２１ａの上端よりも幾らか上方に位置するように設定されている。
【００１９】
キャップ２３は、ガイド部材２１のねじ軸２１ｃにねじ込まれるねじ孔２３ａを有する円盤状部材として形成されている。キャップ２３の下端の外周には、シール押え２２のキャップ嵌合部２２ｃの外周に同軸に嵌め合わされる環状突部２３ｂが形成されている。本形態では、キャップ２３とガイド部材２１のねじ軸２１ｃとがシール押え２２に対する押し込み手段として機能する。
【００２０】
次に、シール挿入治具２０を利用したキャップシール１４の挿入手順を説明する。まず、図３に示すように、蓋部材１０の下面１０ｃ側から貫通孔１０ａにガイド部材２１を挿入してフランジ２１ｂを下面１０ｃに突き当てることにより、ガイド部材２１を蓋部材１０に組み合わせる。続いて、貫通孔１０ａの一端側（上面１０ｂ側）からキャップシール１４を挿入してこれをガイド軸２１ａに嵌め合わせ、さらに、ガイド軸２１ａに沿ってキャップシール１４をシール取付溝１０ｅ側へ幾らか移動させる。この段階では、キャップシール１４の上方にて、ガイド軸２１ａがシール押え２２を嵌め合わせるに足りる範囲で突出するまでキャップシール１４をシール取付溝１０ｅ側に移動させればよい。
【００２１】
続いて、図４に示すように、シール押え２２のガイド孔２２ａをガイド部材２１のガイド軸２１ａに嵌め合わせる。この段階で、作業者自らがシール押え２２をガイド軸２１ａに沿って移動させてキャップシール１４をさらに下方に押し込んでもよい。この後、図５に示すように、ガイド部材２１のねじ軸２１ｃにキャップ２３のねじ孔２３ａを嵌め合わせ、キャップ２３の環状突部２３ｂとシール押え２２のキャップ嵌合部２２ｃとを嵌め合わせる。そして、図２に示したように、シール押え２２が蓋部材１０の段差面１０ｇに突き当たるまでキャップ２３をねじ込む。以上により、シール押え２２がガイド軸２１ａに沿って押し込まれて、キャップシール１４がガイド軸２１ａに案内されつつシール押え２２に押されてシール取付溝１０ｅに挿入される。
【００２２】
本形態のシール挿入治具２０を用いた挿入手順によれば、キャップシール１４がガイド部材２１のガイド軸２１ａによって内周側から支持されつつ、シール押え２２により均等に押し込まれるので、キャップシール１４をその変形や破損を防止しつつシール取付溝１０ｅに容易かつ確実に挿入することができる。しかも、キャップ２３をねじ軸２１ｃにねじ込んでシール押え２２を押し込むようにしたので、キャップシール１４をガイド軸２１ａに沿って円滑かつ均等に押し込むことができ、シールの挿入作業がさらに容易に行える。
【００２３】
本発明は上述した形態に限ることなく、適宜の形態にて実施されてよい。例えば、シール押え２２を作業者による手作業で押し込むことができる場合には、ねじ軸２１ｃ及びキャップ２３は省略してもよい。ガイド部材２１のガイド軸２１ａを貫通孔１０ａと同軸に保持できる限りにおいて、ガイド部材２１の構成は適宜に変更可能である。例えば、フランジ２１ｂについては、ガイド部材２１と蓋部材１０との間の軸線方向のずれがシールの挿入に際して支障にならない場合等には省略可能である。シール取付溝の軸線方向の深さがシールの直径と同程度であれば、シール押えのシール押え部は省略可能である。本発明のシール挿入治具は、上述した蓋部材１０へのキャップシール１４の取り付けに限らず、各種の対象部品の貫通孔内に形成されたシール取付溝へのシールの挿入に使用可能である。
【図面の簡単な説明】
【００２４】
【図１】本発明の一形態に係るシール挿入治具が利用されるサニタリ弁の断面図。
【図２】図１のサニタリ弁の蓋部材に本発明の一形態に係るシール挿入治具を利用してキャップシールを挿入した状態を示す図。
【図３】挿入治具を利用してキャップシールを挿入した状態を示す図。
【図４】挿入手順の一部を示す図。
【図５】図４に続く手順を示す図。
【符号の説明】
【００２５】
１  サニタリ弁
８  弁軸（軸部材）
１０  蓋部材（対象部品）
１０ａ  貫通孔
１０ｄ  大径部
１０ｅ  シール取付溝
１０ｆ  小径部
１０ｇ  段差面
１４  キャップシール
２０  シール挿入治具
２１  ガイド部材
２１ａ  ガイド軸
２１ｂ  フランジ
２１ｃ  ねじ軸（押し込み手段）
２２  シール押え
２２ａ  ガイド孔
２２ｂ  シール押え部
２３  キャップ（押し込み手段）
２３ａ  ねじ孔
【図１】
2009162259.tif 000003
【図２】
2009162259.tif 000004
【図３】
2009162259.tif 000005
【図４】
2009162259.tif 000006
【図５】
2009162259.tif 000007